(57)【要約】【課題】  本発明の目的は、ドラムに巻回された複数のワイヤにより画像読み取りのための光学ユニットを移動させる画像読み取り装置において、筐体組み付け前のドラムからワイヤが遊離することを防止可能な画像読み取り装置、画像読み取り装置の組み立て方法を提供することである。【解決手段】  複数のワイヤをドラムに巻回したまま保持しておくために、ドラムに引っ掛け溝を形成する。そしてこの引っ掛け溝に弾性部材を引っ掛けてドラムを部分的に被覆する。これにより、ドラムに巻回されたワイヤは弾性部材によりドラムに圧着され、バラけることなくドラムに固定される。ドラムを画像読み取り装置筐体に組み付けた後、上記弾性部材をドラムから取り外すことで、ドラムに巻回されたワイヤはドラムに対する相対位置のズレを起こすことなく、筐体に配置される。【選択図】  図６
2005283924.tif 000002
【特許請求の範囲】
【請求項１】
筐体と、
前記筐体内に格納された画像読み取りのための光学ユニットと、
前記光学ユニットを駆動するための光学ユニット駆動機構と
を具備し、 
前記光学ユニット駆動機構は、第１のワイヤーおよび第２のワイヤーと、前記第１のワイヤーおよび第２のワイヤーを巻きつけて引っ掛け機構を有するドラムと
を備えた
画像読取装置。
【請求項２】
請求項１に記載の画像読取装置において、
前記ドラムの前記引っ掛け機構に弾性部材を引っ掛けて、前記弾性部材により前記ドラムに巻き付けられた前記第１のワイヤーおよび第２のワイヤーを前記ドラムに圧着する画像読み取り装置。
【請求項３】
請求項１から２までに記載のいずれか一項の画像読取装置において、
前記ドラムの前記引っ掛け機構は複数の引っ掛け溝であり、前記弾性部材は輪ゴムであり、
前記輪ゴムを前記引っ掛け溝に引っ掛けて、前記輪ゴムにより前記ドラムに巻き付けられた前記第１のワイヤーおよび第２のワイヤーを前記ドラムに圧着する画像読み取り装置。
【請求項４】
請求項１から２までに記載のいずれか一項の画像読取装置において、
前記弾性部材は複数の突起を有した軟質プラスチックであり、前記引っ掛け機構は複数の溝であり、前記軟質プラスチックの形状は前記ドラムの外観形状の一部を寸間なく被覆し、前記突起を前記溝に嵌合し、前記軟質プラスチックにより前記ドラムに巻き付けられた前記第１のワイヤーおよび第２のワイヤーを前記ドラムに圧着する画像読み取り装置。
【請求項５】
請求項１から４までに記載のいずれか一項の画像読取装置において、
前記ドラムを前記筐体に配置後、前記弾性部材を前記ドラムから取り外し可能な画像読取装置。
【請求項６】
請求項１から５までに記載のいずれか一項の画像読取装置に具備されるドラム。
【請求項７】
筐体と、
前記筐体内に格納された画像読み取りのための光学ユニットと、
前記光学ユニットを駆動するための光学ユニット駆動機構と
を具備し、 
前記光学ユニット駆動機構は、第１のワイヤーおよび第２のワイヤーと、前記第１のワイヤーおよび第２のワイヤーを巻き付けて引っ掛け機構を有するドラムと
を備え、
前記ドラムの前記引っ掛け機構に弾性部材を引っ掛けて、前記弾性部材により前記ドラムに巻き付けられた前記第１のワイヤーおよび第２のワイヤーを前記ドラムに圧着するステップと、
前記ドラムと、前記第１のワイヤーと、前記第２のワイヤーとを前記筐体に配置するステップと、
前記ドラムと、前記第１のワイヤーと、前記第２のワイヤーとを前記筐体に配置後、前記弾性部材を前記ドラムから取り外すステップと
を備えた
画像読み取り装置の組み立て方法。
【請求項８】
請求項７に記載の画像読取装置の組み立て方法において、
前記ドラムの引っ掛け機構は複数の引っ掛け溝であり、前記弾性部材は輪ゴムであり、前記輪ゴムを前記引っ掛け溝に引っ掛けて、前記輪ゴムにより前記ドラムに巻き付けられた前記第１のワイヤーおよび第２のワイヤーを前記ドラムに圧着するステップを備えた
画像読み取り装置の組み立て方法。
【請求項９】
請求項７に記載の画像読取装置の組み立て方法において、
前記弾性部材は複数の突起を有した軟質プラスチックであり、前記引っ掛け機構は複数の溝であり、前記軟化プラスチックの形状は前記ドラムの外観形状の一部を寸間なく被覆し、前記突起を前記溝に嵌合し、前記軟質プラスチックにより前記ドラムに巻き付けられた前記第１のワイヤーおよび第２のワイヤーを前記ドラムに圧着するステップを備えた
画像読み取り装置の組み立て方法。
【発明の詳細な説明】
【技術分野】
【０００１】
本発明は画像読取装置に関し、特に、ドラムに巻きつけられたワイヤにより駆動される光学ユニットを備えた画像読取装置および画像読取装置の組み立て方法に関する。
【背景技術】
【０００２】
画像読取装置は、筐体、原稿台ガラス、筐体内に格納された画像読み取りのための光学ユニットおよび光学ユニットを駆動するための光学ユニット駆動機構とから構成される。
【０００３】
光学ユニット駆動機構は、主として駆動モータ、複数のワイヤー、ワイヤーを介して上記の駆動モータのトルクを光学ユニットに伝達するドラム、ワイヤ巻きつけ用プーリ等から構成される。
【０００４】
原稿台ガラスに静止状態で載置された原稿の画像を生成するため、原稿台ガラスの下部で光学ユニットが走査方向に移動させられる。光学ユニットは走査方向に移動出来るようにその両端が筐体内部に設置された案内部材に搭載されている。光学ユニットを走査方向に移動するため、光学ユニットにはドラムおよび複数のワイヤー巻き付け用プーリが備えられている。ドラムおよびワイヤー巻き付け用プーリに複数のワイヤーがルーティングされ、駆動モータの伝達力がドラムを介して伝えられることにより光学ユニット２は走査方向に移動する。
【０００５】
図１は、上記した画像読取装置に設置される、従来の形状をしたドラム５にワイヤ３および４が巻回された状態を示す図である。ワイヤには図示されてないターミナルボールが実装されており、ドラム５の本体に形成される図示せぬ穴にワイヤ３および４のターミナルボールを落とし込むことにより、ワイヤ３および４のドラムに巻きつける位置決めがなされる。
【０００６】
これまでは、ドラム５を筐体に組み付ける前に、ワイヤ３および４を巻きつけた状態でドラム５を保持しておく方法がなかった。このため、ワイヤ３および４のドラム５への仮止めとして、テープを使用してワイヤ３および４をドラム５へ固定することで対応していた。しかし、このテープによる仮止め状態で、ドラム５を筐体に固定するまでの間保持することは非常に困難である。場合によってはテープが剥がれ、ドラム５を筐体へ組付ける際に、ワイヤ３および４のドラム５に対する位置決めがずれることや、ワイヤが前後のワイヤに乗り上げることがあった。
【０００７】
こうした問題に関連して、今までに幾つかの提案がなされている。
【０００８】
例えば、特開２００２−３１７８６６号公報「駆動装置、駆動装置の製造方法、走行体移動装置及び画像読み取り装置」では、駆動プーリの加工工数の低減及び軽量化を図ることができる駆動装置及びその製造方法が提案されている。上記提案では、駆動軸に取り付けられた駆動プーリにより駆動される駆動ワイヤにて可動体を移動させる駆動装置において、駆動プーリは、プレス加工又は転造により形成されている。したがって、駆動プーリの加工工数の低減が可能となり、また、駆動プーリを中空構造体とすることで軽量化を図ることが可能となることが示されている。
【０００９】
また、特開２００２−３１７８６７号公報「駆動装置、スキャナ及び画像形成装置」では、駆動プーリの加工工数の低減及び軽量化を図ることができる駆動装置が提案されている。上記提案では、駆動軸に取り付けられた駆動プーリにより駆動される駆動ワイヤにて可動体を移動させる駆動装置において、駆動プーリは、プレス加工又はてん造により形成されている。したがって、駆動プーリの加工工数の低減が可能となり、また、駆動プーリを中空構造体とすることで軽量化を図ることが可能となることが示されている。
【００１０】
また、特開２００３−１６７３０１号公報「駆動装置および画像読み取り装置」では、可動体を所定量正確に移動させることができる駆動装置が提案されている。上記提案では、駆動プーリに巻回された駆動ワイヤに第１および第２キャリッジを接続し、駆動プーリの回動により駆動ワイヤを駆動し、第１および第２キャリッジを移動させる駆動装置が示される。そして、上記駆動プーリは、この駆動プーリに巻き付ける駆動ワイヤの少なくとも一端を第１および第２キャリッジの駆動に必要な長さより少なくとも３６０度以上巻き付けることができる軸方向長さ、言い換えれば巻き付け幅を有している。
【００１１】
また、特開平１１−２８４８０６号公報「画像読み取り装置」では、ワイヤにより駆動される走査部を有する画像読み取り装置のワイヤ組み付け作業を容易にする画像読み取り装置が提案されている。実際には、ワイヤを駆動する駆動プーリと、ワイヤを案内する第１の従動プーリと、ワイヤの一部に連結された第１の光学要素と、ワイヤに第２の従動プーリを介して連結された第２の光学要素と、一次元の読み取り素子とを備えた画像読み取り装置である。この装置では、駆動プーリを駆動させることにより、第１の光学要素と第２の光学要素とを２：１の速度比で往復運動させ、所定の原稿の画像を一定の光路長で読み取り素子に投射し、原稿の画像を読み取る。特に、第１の光学要素の両端、および第2の光学要素の両端を支える一対のレールは、それぞれ、駆動プーリの軸を支持する第１の支持手段と、第１の従動プーリを支持する第２の支持手段と、ワイヤの一方の端部を固定する第１の固定手段と、ワイヤの他方の端部を固定する第２の固定手段とを備えることを特徴としている。
【００１２】
【特許文献１】特開２００２−３１７８６６号公報
【特許文献２】特開２００２−３１７８６７号公報
【特許文献３】特開２００３−１６７３０１号公報
【特許文献４】特開平１１−２８４８０６号公報
【発明の開示】
【発明が解決しようとする課題】
【００１３】
本発明の目的は、ドラムに巻回された複数のワイヤにより画像読み取りのための光学ユニットを移動させる画像読み取り装置において、筐体組み付け前のドラムからワイヤが遊離することを防止可能な画像読み取り装置、画像読み取り装置の組み立て方法を提供することである。
【課題を解決するための手段】
【００１４】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１５】
本発明の画像読取装置は、筐体（５００）と、筐体内に格納された画像読み取りのための光学ユニット（２）と、光学ユニットを駆動するための光学ユニット駆動機構とを備え、 光学ユニット駆動機構は、第１のワイヤー（３０）および第２のワイヤー（４０）と、第１のワイヤー（３０）および第２のワイヤー（４０）を巻きつけて引っ掛け機構（１３，１４，１５，１６，１０１，１０２）を有するドラム（５０、１００）とを備える。
【００１６】
また、本発明の画像読み取り装置は、請求項１に記載の画像読取装置において、ドラムの引っ掛け機構（１３，１４，１５，１６，１０１，１０２）に弾性部材を引っ掛けて、弾性部材によりドラム（５０）に巻き付けられた第１のワイヤー（３０）および第２のワイヤー（４０）をドラム（５０）に圧着する。
【００１７】
また、本発明の画像読み取り装置は、請求項１から２までに記載のいずれか一項の画像読取装置において、ドラムの引っ掛け機構は複数の引っ掛け溝（１３，１４，１５，１６）であり、弾性部材は輪ゴム（６０）であり、輪ゴム（６０）を引っ掛け溝（１３，１４，１５，１６）に引っ掛けて、輪ゴム（６０）によりドラム（５０）に巻き付けられた第１のワイヤー（３０）および第２のワイヤー（４０）をドラムに圧着する。
【００１８】
また、本発明の画像読み取り装置は、請求項１から２までに記載のいずれか一項の画像読取装置において、弾性部材は複数の突起（２０１，２０２）を有した軟質プラスチック（２００）であり、引っ掛け機構は複数の溝であり、軟質プラスチックの形状はドラム（１００）の外観形状の一部を寸間なく被覆し、突起（２０１，２０２）を溝（１０１，１０２）に嵌合し、軟化プラスチック（２００）によりドラム（１００）に巻き付けられた第１のワイヤー（３０）および第２のワイヤー（４０）をドラム（１００）に圧着する。
【００１９】
また、本発明の画像読み取り装置は、請求項１から４までに記載のいずれか一項の画像読取装置において、ドラム（５０，１００）を筐体（５００）に配置後、弾性部材をドラム（５０，１００）から取り外し可能である。
【００２０】
また、本発明のドラムは、請求項１から５までに記載のいずれか一項の画像読取装置に備えられる。
【００２１】
また、本発明の画像読み取り装置の組み立て方法は、筐体（５００）と、筐体内に格納された画像読み取りのための光学ユニット（２）と、光学ユニットを駆動するための光学ユニット駆動機構とを備え、 光学ユニット駆動機構は、第１のワイヤー（３０）および第２のワイヤー（４０）と、第１のワイヤー（３０）および第２のワイヤー（４０）を巻き付けて引っ掛け機構を有するドラム（５０，１００）とを備え、ドラム（５０，１００）の引っ掛け機構（１３，１４，１５，１６，１０１，１０２）に弾性部材（６０，２００）を引っ掛けて、弾性部材（６０，２００）によりドラムに巻き付けられた第１のワイヤー（３０）および第２のワイヤー（４０）をドラム（５０，１００）に圧着するステップと、ドラム（５０，１００）と、第１のワイヤー（３０）と、第２のワイヤー（４０）とを筐体（５００）に配置するステップと、ドラム（５０，１００）と、第１のワイヤー（３０）と、第２のワイヤー（４０）とを筐体（５００）に配置後、弾性部材（６０，２００）をドラム（５０，１００）から取り外すステップとを有する。
【００２２】
また、本発明の画像読取装置の組み立て方法は、請求項７に記載の画像読取装置の組み立て方法において、ドラムの引っ掛け機構は複数の引っ掛け溝（１３，１４，１５，１６）であり、弾性部材は輪ゴム（６０）であり、輪ゴム（６０）を引っ掛け溝（１３，１４，１５，１６）に引っ掛けて、輪ゴム（６０）によりドラム（５０）に巻き付けられた第１のワイヤー（３０）および第２のワイヤー（４０）をドラム（５０）に圧着するステップを備える。
【００２３】
また、本発明の画像読み取り装置の組み立て方法は、請求項７に記載の画像読取装置の組み立て方法において、弾性部材は複数の突起（２０１，２０２）を有した軟質プラスチックで（２００）あり、引っ掛け機構は複数の溝であり、軟質プラスチックの形状はドラム（１００）の外観形状の一部を寸間なく被覆し、突起（２０１，２０２）を溝（１０１，１０２）に嵌合し、軟質プラスチック（２００）によりドラム（１００）に巻き付けられた第１のワイヤー（３０）および第２のワイヤー（４０）をドラム（１００）に圧着するステップを備える。
【発明の効果】
【００２４】
本発明の画像読取装置により、筐体へ組み付けられる前のドラムに巻回された複数のワイヤを、輪ゴムや軟質プラスチックなどの弾性部材でドラムに圧着して固定することにより、ワイヤがドラムからバラバラに遊離することなく保持することが可能になる。
【００２５】
このとき、弾性部材をドラムの駆動軸穴の位置からずらしてドラムに実装することにより、ワイヤをドラムに固定したまま、ドラムを装置筐体に取り付けることができる。
【００２６】
また、本発明の画像読取装置では、ドラムに引っ掛け溝を形成し、その引っ掛け溝に弾性部材を引っ掛けてワイヤをドラムに圧着する。このため、ドラムを筐体に組み付けて、さらに、ワイヤ端部が筐体に固定された状態で、不要となる弾性部材を容易にドラムから取り外すことができる。
【発明を実施するための最良の形態】
【００２７】
以下、添付図を使って本発明の画像読取装置、画像読取装置の組み立て方法について説明を行う。
【００２８】
本発明の実施形態に係わる画像読み取り装置の外観形状を図２に示す。図２に示されるように、画像読取装置は、筐体５００、原稿台ガラス１、筐体内に格納された画像読み取りのための光学ユニット２および光学ユニット２を駆動するための光学ユニット駆動機構とから構成される。
【００２９】
図３は上記光学ユニット駆動機構の構成を、筐体の底面側からみた外観図である。光学ユニット駆動機構は、主として図示せぬ駆動モータ、第１のワイヤー３、第２のワイヤー４、第１のワイヤーおよび第２のワイヤーを介して上記の駆動モータのトルクを光学ユニット２に伝達するドラム５、ワイヤ巻きつけ用プーリ６、７、８から構成される。第１のワイヤー３は、その片端が図示せぬ固定端６１へ固定され、もう一端は筐体外の止め具９にスプリング１０を介して固定されている。第２のワイヤ４についても同様に、その片端は図示せぬ固定端５１へ固定され、もう一端は筐体外の止め具１１にスプリング１０を介して固定されている。
【００３０】
次に、画像読取装置の動作原理について説明する。
【００３１】
図２に示されるように、原稿台ガラス１に静止状態で載置された原稿の画像を生成するため、原稿台ガラス１の下部で光学ユニット２が走査方向に移動させられる。光学ユニット２は走査方向に移動出来るようにその両端が筐体５００内部に設置された図示せぬ案内部材に搭載されている。
【００３２】
光学ユニット２を走査方向に移動するため、光学ユニット２にはドラム５およびワイヤー巻き付け用プーリ６，７，８が備えられている。ドラム５およびワイヤー巻き付け用プーリ６，７，８にワイヤー３および４がルーティングされ、駆動モータの伝達力がドラム５を介して伝えられることにより光学ユニット２は走査方向に移動する。
【００３３】
図４に筐体内における光学ユニット２を省略したワイヤ３および４の這い回しの詳細レイアウトを示す。
【００３４】
ドラム５およびワイヤー巻き付け用プーリ６，７，８にルーティングされるワイヤーは３および４の２系統ある。ワイヤー４は筐体内に実装される固定端５１を始点としてドラム５、プーリ８およびプーリ６にルーティングされ、最終的に筐体外部に実装されるワイヤ固定終端１１にスプリング１０を介して固定される。また、もう一方のワイヤー３は、筐体内に実装される固定点６１を始点としてドラム５、プーリ７およびプーリ６にルーティングされ、最終的に筐体外部に実装されるワイヤ固定終端９にスプリング１０を介して固定される。
【００３５】
（実施の形態１） 
本発明の実施の形態１に係わる画像読取装置おいては、複数のワイヤを光学ユニット駆動機構を構成するドラムに巻き付けた後、ドラムを装置筐体に組み付けるまで、ワイヤをドラムに仮止めしておくことが可能である。このため、本実施の形態１の画像読取装置は、特有形状をしたドラムを有している。
【００３６】
本発明の実施の形態１におけるドラムの外観形状を図５に示す。本発明の実施の形態１に係わるドラム５０の周縁つば部には、引っ掛け溝１３〜１６が形成されている。引っ掛け溝１３および１６には弾性部材を引っ掛けることが可能な引っ掛け部が形成されている。また、引っ掛け溝１４および１５には、使用する弾性部材を集束することが可能な幅と深さを有した凹形状が形成されている。
【００３７】
この引っ掛け溝１３〜１６が形成されていることにより、本発明の画像読み取り装置においてワイヤをドラムに仮止めしておくことが可能となる。
【００３８】
次に、本発明の実施の形態１における画像読取装置の動作原理について述べる。
【００３９】
本発明の実施の形態１においては、ドラム５０を筐体５００に取り付けるまでのあいだ、図６に示されるワイヤ３０、４０を巻き付けた状態を保持するために、一般的な用途に利用されている輪ゴム６０を用いる。輪ゴム６０によりワイヤ３０、４０をドラム５０に圧着するためには、ドラム５０に輪ゴム６０を引っ掛けるための引っ掛け形状が必要である。図５に示すように、本発明の実施の形態１のドラム５０には、引っ掛け溝１３、１４，１５、１６が形成されている。ワイヤ３０および４０をドラム５０に巻き付けた後、引っ掛け部１３に輪ゴム６０の一端を引っ掛け、両側から引き出されてきた輪ゴム６０を引っ掛け溝１４、１５に束ねて通し、もう一端を反対側の引っ掛け部１８に引っ掛ける。図７は、本発明の実施の形態１に係わるドラム５０の下方からの斜視図である。
【００４０】
このような輪ゴム６０をコの字に引っ掛ける方式を用いた理由としては、輪ゴム６０は組み付けの際にのみ必要なものである。従って、筐体５００にワイヤ３０，４０のそれぞれの端部５１，６１およびドラム５０を組み付けた後に、ドラム５０から輪ゴム６０を取り外せるようにしなければならないからである。
【００４１】
仮に、輪ゴム６０の円周を用いてワイヤ３０および４０のドラム５０に対する巻き付けを固定すると、筐体５００にワイヤ３０，４０のそれぞれの端部５１，６１およびドラム５０を組み付け後、ワイヤ３０および４０が固定された状態で輪ゴム６０を取り外すことは輪ゴム６０を切断しない限り不可能である。また、輪ゴム６０を切断することはコストの点から、また筐体内に切断された輪ゴム片が落ちてしまう危険性があることから避けなければならない。
【００４２】
本発明の実施の形態１に示すような引っ掛け方法を用いれば、筐体５００にワイヤ３０，４０のそれぞれの端部５１，６１およびドラム５０を組み付け後にも容易に輪ゴム６０を取り外すことができる。また、輪ゴム６０のドラム５０に対する被覆位置を駆動軸穴１７上から避けた理由は、筐体５００にドラム５０を組み付ける際、駆動軸穴１７に挿入される図示されていない駆動軸のアプローチ上に輪ゴム６０があると軸挿入の邪魔になることから、さらに組み付け容易性を追求した結果である。
【００４３】
（実施の形態２）
本発明の実施の形態２においては、実施の形態１と同様に、複数のワイヤを光学ユニット駆動機構を構成するドラムに巻き付けた後、ドラムを装置筐体に組み付けるまで、ワイヤをドラムに仮止めしておくことが可能な画像読取装置を実現する。このため、本実施の形態２の画像読取装置は、特有形状をしたドラムを有している。
【００４４】
本発明の実施の形態２におけるドラムの外観形状を図８に示す。本発明の実施の形態２に係わるドラム１００は、引っ掛け溝１０１および１０２がドラム１００の周縁つば部に形成されている。引っ掛け溝１０１および１０２には、弾性部材の突起が寸間なく嵌合する凹形状が形成されている。この引っ掛け溝１０１および１０２が形成されていることにより、本発明の画像読み取り装置においてワイヤをドラムに仮止めしておくことが可能となる。
【００４５】
次に、本発明の実施の形態２における画像読取装置の動作原理について述べる。
【００４６】
本発明の実施の形態２においては、ドラム１００を筐体５００に取り付けるまでのあいだ、図１０に示されるワイヤ３０、４０を巻き付けた状態を保持するために、軟質プラスチックで形成されたワイヤ仮止め具２００を用いる。図９にワイヤ仮止め具２００の外観形状を示す。ワイヤ仮止め具２００は、ドラム１００の外周の一部を寸間なく被覆することのできる内壁形状を備え、また、内壁部には突起２０１と突起２０２とが形成されている。ワイヤ仮止め具２００によりワイヤ３０、４０をドラム１００に圧着するためには、ドラム１００にワイヤ仮止め具２００を引っ掛けるための引っ掛け形状が必要である。図８に示すように、本発明の実施の形態２のドラム１００には、ワイヤ仮止め具２００がドラム１００を被覆したときに、ワイヤ仮止め具２００の内壁部に形成された突起２０１および２０２がそれぞれ引っ掛かかって嵌合するように、引っ掛け溝１０１および１０２が形成されている。ワイヤ３０および４０をドラム１００に巻き付けた後、引っ掛け溝１０１にワイヤ仮止め具２００の一端２０１を引っ掛け、さらに反対側の引っ掛け溝１０２にワイヤ仮止め具２００のもう一端部２０２を引っ掛ける。図１１は、本発明の実施の形態２に係わるドラム１００の下方からの斜視図である。
【００４７】
このようなワイヤ仮止め具２００をコの字に引っ掛ける方式を用いた理由としては、実施の形態１と同様にワイヤ仮止め具２００は組み付けの際にのみ必要なものである。従って、筐体５００にワイヤ３０，４０のそれぞれの端部５１，６１およびドラム１００を組み付け、ワイヤ端部５１，６１を固定した後に、ドラム１００からワイヤ仮止め具２００を取り外し可能にしなければならないからである。
【００４８】
本発明の実施の形態２に示すような引っ掛け方法を用いれば、筐体５００にワイヤ３０，４０のそれぞれの端部５１，６１およびドラム１００を組み付け後にも容易にワイヤ仮止め具２００を取り外すことができる。また、ワイヤ仮止め具２００のドラム１００に対する被覆位置を駆動軸穴１０５上から避けた理由は、筐体５００にドラム１００を組み付ける際、駆動軸穴１０５に挿入される図示されていない駆動軸のアプローチ上にワイヤ仮止め具２００があると軸挿入ができなくなるためである。
【図面の簡単な説明】
【００４９】
【図１】従来のドラムの外観図である。
【図２】画像読取装置の斜視図である。
【図３】光学モジュール駆動部の構成例の底面からみた外観図である。
【図４】筐体内における光学ユニットを省略したワイヤの這い回しの詳細レイアウトを示す図である。
【図５】本発明の実施の形態１に係わるドラムの外観図である。
【図６】本発明の実施の形態１に係わるドラムの上方からの斜視図である。
【図７】本発明の実施の形態１に係わるドラムの下方からの斜視図である。
【図８】本発明の実施の形態２に係わるドラムの外観図である。
【図９】本発明の実施の形態２に係わるワイヤ圧着用弾性部材の外観図である。
【図１０】本発明の実施の形態２に係わるドラムの上方からの斜視図である。
【図１１】本発明の実施の形態２に係わるドラムの下方からの斜視図である。
【符号の説明】
【００５０】
１…原稿台ガラス
２…光学ユニット
３、４、３０，４０…ワイヤ
５…従来のドラム
６，７，８…ワイヤー巻き付け用プーリ
９，１１、５１，６１…ワイヤ固定端
１０、１２…スプリング
１３、１４，１５、１６…本発明の実施の形態１に係わる引っ掛け溝
１７…本発明の実施の形態１に係わるドラムの駆動軸穴
５０…本発明の実施の形態１に係わるドラム
６０…輪ゴム
１００…本発明の実施の形態２に係わるドラム
１０１，１０２…本発明の実施の形態２に係わる引っ掛け溝
１０５…本発明の実施の形態２に係わるドラムの駆動軸穴
２００…本発明の実施の形態２に係わるワイヤ圧着用弾性部材
２０１，２０２…突起
５００…筐体
【図１】
2005283924.tif 000003
【図２】
2005283924.tif 000004
【図３】
2005283924.tif 000005
【図４】
2005283924.tif 000006
【図５】
2005283924.tif 000007
【図６】
2005283924.tif 000008
【図７】
2005283924.tif 000009
【図８】
2005283924.tif 000010
【図９】
2005283924.tif 000011
【図１０】
2005283924.tif 000012
【図１１】
2005283924.tif 000013